(57)【要約】【課題】  好適に内型枠装置をコンクリート壁に支持させることができ、容易且つ安価に作業を行うことができるコンクリート構造物構築用内型枠装置及びコンクリート構造物の構築方法の提供。【解決手段】  内型枠板１３と、内型枠板１３の背面側に固定された型枠板支持構造体１４とを有し、先に成形されたコンクリート壁１０に対して取り外し可能に固定させた型枠支持部材３４を介して支持させるようにした内型枠装置１２において、内型枠板１３の上縁部より内型枠板１３の表面より表側に突出した上部ストッパー１７と、型枠板支持構造体１４の下端部に、内型枠板の表面より表側に突出する位置と表面より裏側に引き込まれた位置との間を移動可能に支持させた下部ストッパー２５とを備え、上部ストッパー１７又は下部ストッパー２５をコンクリート壁１０の上端に支持させた状態で型枠支持部材３４の着脱を行えるようにした。【選択図】  図１
2005171755.tif 000002
【特許請求の範囲】
【請求項１】
コンクリート壁の内側面を成形する内型枠板と、該内型枠板の背面側に固定された型枠板支持構造体とを有し、先に成形された前記コンクリート壁に対して取り外し可能に固定させた型枠支持部材を介して支持させるようにしてなるコンクリート構造物構築用内型枠装置において、
前記内型枠板の上縁部より前記内型枠板の表面より表側に突出した上部ストッパーと、前記型枠板支持構造体の下端部に、前記内型枠板の表面より表側に突出する位置と該表面より裏側に引き込まれた位置との間を移動可能に支持させた下部ストッパーとを備え、前記上部ストッパー又は下部ストッパーを前記コンクリート壁の上端に支持させた状態で型枠支持部材の着脱を行えるようにしたことを特徴としてなるコンクリート構造物構築用内型枠装置。
【請求項２】
下部ストッパーは、型枠板支持構造体の下端がコンクリート壁の上端より高い位置に移動すると、自動的に内型枠板の表面より表側に突出する位置に移動するようにしている請求項１に記載のコンクリート構造物構築用内型枠装置。
【請求項３】
下部ストッパーは、前記型枠板支持構造体に対し支軸を介して回動自在に軸支され、該支軸を中心にして回動させることにより前記内型枠板の表面より表側に突出する位置と表面より裏側に引き込まれる位置との間を往復移動する係止用凸部を一体に備えたストッパー本体と、前記係止用凸部が前記内型枠板の表面より表側に突出する方向にストッパー本体を付勢する回動手段とを有している請求項１又は２に記載のコンクリート構造物構築用内型枠装置。
【請求項４】
回動手段は、ストッパー本体をその前記係止用凸部が前記内型枠板の表面より表側に突出する位置に回動させる方向に付勢する錘を着脱可能に有し、ストッパー本体は、前記錘を装着することにより係止用凸部が内型枠板の表面より表側に突出する方向に回動され、該錘を取り外すことにより前記係止用凸部が内型枠板の表面より裏側に引き込まれる方向に回動されるようにしている請求項３に記載のコンクリート構造物構築用内型枠装置。
【請求項５】
コンクリート壁の内側面を成形する内型枠板と、該内型枠板の背面側に固定された型枠板支持構造体とを有する内型枠装置を使用し、該内型枠装置を、先に成形された前記コンクリート壁に対して取り外し可能に固定させた型枠支持部材を介して支持させ、その状態でコンクリート壁の成形を行うコンクリート構造物の構築方法において、
前記内型枠装置は、前記内型枠板の上縁部より前記型枠板の表面より表側に突出した上部ストッパーと、前記型枠型枠板支持構造体の下端部に、前記型枠板の表面より表側に突出する位置と該表面より裏側に引き込まれた位置との間を移動可能に支持させた下部ストッパーとを備え、
前記内型枠装置を型枠支持部材により支持した状態でコンクリート壁を成形した後、前記上部ストッパーを新しく形成されたコンクリート壁の上端部に支持させた状態で前記型枠支持部材を取り外し、前記内型枠装置を所定の高さまで上方に移動させた後、前記下部ストッパーを前記内型枠板の表面より表側に突出する位置に移動させて前記コンクリート壁の上端面に支持させ、その状態で前記下部ストッパー直下の前記コンクリート壁内側面に型枠支持部材を取り付け、然る後、前記下部ストッパーを内型枠板の表面より裏側に引き込まれた位置に移動させるとともに、前記内型枠装置を下降させて前記型枠支持部材に前記内型枠装置を支持させる動作を前記コンクリート壁の所望高さに応じて繰り返すことを特徴としてなるコンクリート構造物の構築方法。
【請求項６】
下部ストッパーを型枠型枠板支持構造体の下端がコンクリート壁の上端より高い位置に移動すると、自動的に内型枠板の表面より表側に突出する位置に移動させる請求項５に記載のコンクリート構造物の構築方法。
【請求項７】
下部ストッパーは、前記型枠板支持構造体に対し支軸を介して回動自在に軸支され、該支軸を中心にして回動させることにより前記内型枠板の表面より表側に突出する位置と該表面より裏側に引き込まれる位置との間を往復移動する係止用凸部を一体に備えたストッパー本体と、前記係止用凸部が前記内型枠板の表面より表側に突出する方向にストッパー本体を付勢する回動手段とを有している請求項５又は６に記載のコンクリート構造物の構築方法。
【請求項８】
回動手段は、ストッパー本体をその前記係止用凸部が前記内型枠板の表面より表側への突出する位置に回動させる方向に付勢する錘を着脱可能に有し、内型枠装置を上方に移動させる際に、ストッパー本体に前記錘を装着しておく請求項７に記載のコンクリート構造物の構築方法。
【発明の詳細な説明】
【技術分野】
【０００１】
本発明は、主に矩形ケーソン等の壁部を構築するためのコンクリート構造物構築用内型枠装置及びその装置を使用したコンクリート構造物の構築方法に関する。
【背景技術】
【０００２】
従来、矩形ケーソン等の函型コンクリート構造物の壁部を構築する方法として、外側に配置された外型枠板を有する外型枠装置と、外型枠板と互いに対向する内型枠板を有する内型枠装置とを使用し、その内外両型枠装置を順次上方へ移動させつつ内外両型枠板間にコンクリートを打設する方法が知られている。
【０００３】
この内型枠装置１は、図８に示すように、間隔を置いて縦向きに並べて配置した複数の支持柱材２，２…を備え、この支持柱材２，２にメタルフォームからなる内型枠板３，３…を支持させる構造になっている。
【０００４】
この内型枠装置１を使用してコンクリートを打設するには、既設コンクリート壁４の内壁部に予め型枠支持部材（アジャストベース）５，５…を固定しておき、その型枠支持部材５に内型枠板３の下端部を支持させた状態で行うようになっている。
【０００５】
そして、コンクリート打設後に、型枠板支持構造体の上端に固定した吊り用ワイヤ６をクレーンにより上方に吊り上げて内型枠装置１を上方に移動させた後、新しく打設されたコンクリート壁４の上端部に型枠支持部材５，５…を取り付けて、順次上方に型枠装置を移動させるようになっている。
【０００６】
しかしながら、内型枠装置内設置された足場に作業員が乗って型枠支持部材をコンクリート壁に取り付ける際、内型枠装置はクレーンに吊り下げられただけの不安定な状態にあり、クレーンのワイヤーロープが外れると内型枠装置とともに作業員が落下する危険があるという問題があった。
【０００７】
また、型枠支持部材の取り付け・調整作業が完了しない限りはクレーンはこの作業にかかりっきりになって使用することができず、作業効率が悪いという問題もあった。
【０００８】
そこで、このような問題を解決すべく、型枠支持部材を使用せずとも型枠を所定の位置に固定することができる型枠固定装置を使用する方法が提案されている（例えば、特許文献１を参照）。
【０００９】
この型枠固定装置は、内型枠が戴置されるフレームと、フレームの側部より外向きに突出可能なストッパーとを備え、この型枠固定装置を内型枠とともに上昇させ、所定の位置、即ち既設コンクリート壁に予め形成されたほぞ穴の位置に到達すると、ストッパーが自動的に突出してほぞ穴と嵌合することにより、その位置でコンクリート壁に支持されるようになっており、それに戴置された内型枠もその位置で支持されるようになっている。
【特許文献１】特開平１０−６１１７７号公報
【発明の開示】
【発明が解決しようとする課題】
【００１０】
しかし、上述の如き従来の技術では、コンクリート壁の内側面にほぞ穴を形成するため、断面欠損が生じて構造物の強度が低下するという問題がある。
【００１１】
また、内型枠板の表面にほぞ穴を形成するための箱抜き材を備えることによって脱型が煩わしいという問題があり、また、ほぞ穴に補強用の金具を取り付ける作業等が増え、作業効率が低下するという問題もある。
【００１２】
更には、内型枠装置に加えて型枠固定装置をも使用するので、コストが増大するという問題もある。
【００１３】
そこで本発明は、上述の従来技術の問題を鑑み、ほぞ穴を設けずとも好適に内型枠装置をコンクリート壁に支持させることができ、容易且つ安価に作業を行うことができるコンクリート構造物構築用内型枠装置及びその装置を使用したコンクリート構造物の構築方法の提供を目的とする。
【課題を解決するための手段】
【００１４】
上述の如き従来の問題を解決し、所期の目的を達成するための請求項１に記載の発明は、コンクリート壁の内側面を成形する内型枠板と、該内型枠板の背面側に固定された型枠板支持構造体とを有し、先に成形された前記コンクリート壁に対して取り外し可能に固定させた型枠支持部材を介して支持させるようにしてなるコンクリート構造物構築用内型枠装置において、前記内型枠板の上縁部より前記内型枠板の表面より表側に突出した上部ストッパーと、前記型枠板支持構造体の下端部に、前記内型枠板の表面より表側に突出する位置と該表面より裏側に引き込まれた位置との間を移動可能に支持させた下部ストッパーとを備え、前記上部ストッパー又は下部ストッパーを前記コンクリート壁の上端に支持させた状態で型枠支持部材の着脱を行えるようにしたコンクリート構造物構築用内型枠装置であることを特徴とする。
【００１５】
請求項２に記載の発明は、請求項１の構成に加え、下部ストッパーは、型枠板支持構造体の下端がコンクリート壁の上端より高い位置に移動すると、自動的に内型枠板の表面より表側に突出する位置に移動するようにしていることを特徴とする。
【００１６】
請求項３に記載の発明は、請求項１又は２の構成に加え、下部ストッパーは、前記型枠板支持構造体に対し支軸を介して回動自在に軸支され、該支軸を中心にして回動させることにより前記内型枠板の表面より表側に突出する位置と表面より裏側に引き込まれる位置との間を往復移動する係止用凸部を一体に備えたストッパー本体と、前記係止用凸部が前記内型枠板の表面より表側に突出する方向にストッパー本体を付勢する回動手段とを有していることを特徴とする。
【００１７】
請求項４に記載の発明は、請求項３の構成に加え、回動手段は、ストッパー本体をその前記係止用凸部が前記内型枠板の表面より表側に突出する位置に回動させる方向に付勢する錘を着脱可能に有し、ストッパー本体は、前記錘を装着することにより係止用凸部が内型枠板の表面より表側に突出する方向に回動され、該錘を取り外すことにより前記係止用凸部が内型枠板の表面より裏側に引き込まれる方向に回動されるようにしていることを特徴とする。
【００１８】
請求項５に記載の発明は、コンクリート壁の内側面を成形する内型枠板と、該内型枠板の背面側に固定された型枠板支持構造体とを有する内型枠装置を使用し、該内型枠装置を、先に成形された前記コンクリート壁に対して取り外し可能に固定させた型枠支持部材を介して支持させ、その状態でコンクリート壁の成形を行うコンクリート構造物の構築方法において、前記内型枠装置は、前記内型枠板の上縁部より前記型枠板の表面より表側に突出した上部ストッパーと、前記型枠型枠板支持構造体の下端部に、前記型枠板の表面より表側に突出する位置と該表面より裏側に引き込まれた位置との間を移動可能に支持させた下部ストッパーとを備え、前記内型枠装置を型枠支持部材により支持した状態でコンクリート壁を成形した後、前記上部ストッパーを新しく形成されたコンクリート壁の上端部に支持させた状態で前記型枠支持部材を取り外し、前記内型枠装置を所定の高さまで上方に移動させた後、前記下部ストッパーを前記内型枠板の表面より表側に突出する位置に移動させて前記コンクリート壁の上端面に支持させ、その状態で前記下部ストッパー直下の前記コンクリート壁内側面に型枠支持部材を取り付け、然る後、前記下部ストッパーを内型枠板の表面より裏側に引き込まれた位置に移動させるとともに、前記内型枠装置を下降させて前記型枠支持部材に前記内型枠装置を支持させる動作を前記コンクリート壁の所望高さに応じて繰り返すコンクリート構造物の構築方法であることを特徴とする。
【００１９】
請求項６に記載の発明は、請求項５の構成に加え、下部ストッパーを型枠型枠板支持構造体の下端がコンクリート壁の上端より高い位置に移動すると、自動的に内型枠板の表面より表側に突出する位置に移動させることを特徴とする。
【００２０】
請求項７に記載の発明は、請求項５又は６の構成に加え、下部ストッパーは、前記型枠板支持構造体に対し支軸を介して回動自在に軸支され、該支軸を中心にして回動させることにより前記内型枠板の表面より表側に突出する位置と該表面より裏側に引き込まれる位置との間を往復移動する係止用凸部を一体に備えたストッパー本体と、前記係止用凸部が前記内型枠板の表面より表側に突出する方向にストッパー本体を付勢する回動手段とを有していることを特徴とする。
【００２１】
請求項８に記載の発明は、請求項７の構成に加え、回動手段は、ストッパー本体をその前記係止用凸部が前記内型枠板の表面より表側への突出する位置に回動させる方向に付勢する錘を着脱可能に有し、内型枠装置を上方に移動させる際に、ストッパー本体に前記錘を装着しておくことを特徴とする。
【発明の効果】
【００２２】
本発明に係るコンクリート構造物構築用内型枠装置は、コンクリート壁の内側面を成形する内型枠板と、該内型枠板の背面側に固定された型枠板支持構造体とを有し、先に成形された前記コンクリート壁に対して取り外し可能に固定させた型枠支持部材を介して支持させるようにしてなるコンクリート構造物構築用内型枠装置において、前記内型枠板の上縁部より前記内型枠板の表面より表側に突出した上部ストッパーと、前記型枠板支持構造体の下端部に、前記内型枠板の表面より表側に突出する位置と該表面より裏側に引き込まれた位置との間を移動可能に支持させた下部ストッパーとを備え、前記上部ストッパー又は下部ストッパーを前記コンクリート壁の上端に支持させた状態で型枠支持部材の着脱を行えるようにしたことによって、作業を行う際に内型枠（装置）が常にコンクリート壁に支持された状態にあるので安全に作業を行うことができる。
【００２３】
下部ストッパーは、型枠板支持構造体の下端がコンクリート壁の上端より高い位置に移動すると、自動的に内型枠板の表面より表側に突出する位置に移動するようにしていることによって、不安定な状況下において作業員の人力を用いずに、下部ストッパーを内型枠板の表面より表側に突出する位置に移動させることができ、安全性が高い。
【００２４】
下部ストッパーは、前記型枠板支持構造体に対し支軸を介して回動自在に軸支され、該支軸を中心にして回動させることにより前記内型枠板の表面より表側に突出する位置と該表面より裏側に引き込まれる位置との間を往復移動する係止用凸部を一体に備えたストッパー本体と、前記係止用凸部が前記内型枠板の表面より表側に突出する方向にストッパー本体を付勢する回動手段とを有していることによって、簡単な構造で下部ストッパーを表面より表側に突出する位置と該表面より裏側に引き込まれた位置との間を好適に移動させることができ、また、既存の内型枠装置にも好適に取り付けることができる。
【００２５】
回動手段は、ストッパー本体をその前記係止用凸部が前記内型枠板の表面より表側に突出する位置に回動させる方向に付勢する錘を着脱可能に有し、ストッパー本体は、前記錘を装着することにより係止用凸部が内型枠板の表面より表側に突出する位置に移動される方向に回動され、該錘を取り外すことにより前記係止用凸部が内型枠板の表面より裏側に引き込まれる方向に回動されるようにしていることによって、自動的にストッパー本体の先端部を前記内型枠板の表面より表側に突出する位置と該表面より裏側に引き込まれた位置との間を移動させることができるとともに、構造が簡単であるのでコストを抑えることができる。
【発明を実施するための最良の形態】
【００２６】
次に、本発明に係る内型枠装置の実施形態について説明する。
【００２７】
図１は、本発明に係る内型枠装置の使用状態を示し、図中符号１０はコンクリート壁、符号１１は外型枠装置、符号１２は内型枠装置である。
【００２８】
内型枠装置１２は、内型枠板１３と、内型枠板１３の背面側に固定された型枠板支持構造体１４とを備え、内型枠板１３と互いに対向する外型枠板１５を有する外型枠装置１１とともに順次上方に移動させつつ、内外両型枠板１３，１５間にコンクリートを打設することにより、コンクリート壁１０を形成するようになっている。
【００２９】
内型枠板１３は、横長平板状の鋼製型枠材（メタルフォーム）を縦方向に並べて平面状に形成され、各鋼製型枠材を、型枠板支持構造体１４を構成する支持柱材１６に対してボルト止めで取り付けることにより内型枠板１３の背面側に型枠板支持構造体１４を固定するようになっている。
【００３０】
この内型枠板１３の上端縁には、図２に示すように、内型枠板１３の表面より表側に突出する上部ストッパー１７が支持されている。
【００３１】
上部ストッパー１７は、断面Ｌ字型のアングル材をもって構成され、そのアングル材の底板部をボルト１８により内型枠板１３上面、即ち上端の鋼製型枠材の上面にボルト１８により固定することにより支持されている。
【００３２】
また、この上部ストッパー１７は、ボルト１８を回動軸として回動可能になっており、内型枠板１３と直交する方向となるように回動させることにより内型枠板１３の表面より表側に突出する位置に移動し、内型枠板１３と平行となる方向、即ち水平方向に回動させることにより内型枠板１３の表面より裏側に引き込まれた位置に移動するようになっている。
【００３３】
型枠板支持構造体１４は、間隔を置いて配置された縦向きの複数の支持柱材１６，１６…と、各支持柱材１６，１６…を連結する角パイプ等の横部材１９，１９…とを備え、各支持柱材１６，１６…に囲まれた部分の上中下段にそれぞれ作業用足場２０，２１，２２が組み込まれている。尚、図中符号２３は昇降用梯子である。
【００３４】
支持柱材１６は、長手方向に所定の間隔で挿通孔２４，２４…が形成された一対のビーム材をパイプ材又は座がね等の連結材を介して重ね合わされた構造になっており、両ビーム材間に形成された隙間１６ａを利用して板材等を固定することができるようになっている。
【００３５】
また、型枠板支持構造体１４を構成する各支持柱材１６，１６…の内、所定の支持柱材１６の下端部には、コンクリート壁１０の既存部上端より高い位置になると自動的に内型枠板１３の表面より表側に突出する位置に移動する下部ストッパー２５が取り付けられている。
【００３６】
下部ストッパー２５は、図３、図４に示すように、支持柱材１６の側部に固定される取付部２６と、取付部２６に支軸を介して回動自在に軸支されたストッパー本体２７と、ストッパー本体２７と一体に形成された係止用凸部２７ａを内型枠板１３の表面より表側に突出した位置に付勢する回動手段とを備えている。
【００３７】
取付部２６は、長板状の鋼板の両端部を側縁に対して斜めに折り曲げることにより、内型枠板１３側が下を向いた斜め向きに形成され、その両端部に取付把持部２６ａ，２６ａが一体に形成されている。
【００３８】
略中央部には、支軸が挿通される軸挿通孔２８が形成され、その稍下部に取付用ナットを兼ねる回動規制部２９が一体に形成されている。
【００３９】
この取付部２６は、取付把持部２６ａ、２６ａを支持柱材１６の両ビーム材間の隙間１６ａに嵌め込むと共に、回動規制部２９に取付用ボルト２９ａを螺合させてボルト２９ａの先端部によりビーム材の外側面を押圧することにより取付部２６が支持柱材１６の側部に固定されるようになっている。
【００４０】
また、取付部２６は、支軸３０の位置が内型枠板１３の下縁より稍低い位置となるように取り付けられるとともに、取付部２６は内型枠板側が下を向いた形状であるので、内型枠板１３が邪魔とならずに支持柱材１６に取り付けることができるようになっている。
【００４１】
ストッパー本体２７は、一定の長さを有する断面Ｌ字型のアングル材をもって構成され、その一方の端部が係止用凸部２７ａを構成している。
【００４２】
このストッパー本体２７の側板部に、回転軸３０が挿入される軸挿通孔３１が形成され、この軸挿通孔３１は、軸挿通孔３１を境にストッパー本体２７の係止用凸部側が長く、他方が短くなる位置に形成され、ストッパー本体２７の係止用凸部側が重く、重心がストッパー本体２７の係止用凸部側に偏るようになっている。
【００４３】
また、ストッパー本体２７には、回動手段を構成する錘３２が着脱可能に取り付けられるように底板部の係止用凸部２７ａとは反対側に取付用孔３３が形成されている。
【００４４】
錘３２は、取付用孔３３に挿入される軸部３２ａと、軸部３２ａの頭部に一体に形成された抜け止め部３２ｂとをもって形成され、この錘３２をストッパー本体２７に装着することにより、錘３２の重量によって重心が移動して、ストッパー本体２７を、該ストッパー本体２７と一体に形成された係止用凸部２７ａを内型枠板１３の表面より表側に突出させる方向に付勢するようになっている。
【００４５】
このストッパー本体２７は、図中実線で示したように、係止用凸部２７ａ、即ちストッパー本体２７の先端部が内型枠板１３の表面より表側に突出した位置で、ストッパー本体２７の上縁が内型枠板１３の下縁に当接し回動が規制されるようになっている。一方、ストッパー本体２７が内型枠板１３の表面より裏側に引き込まれた位置で、図中一転鎖線で示したように、ストッパー本体２７の底板部が回動規制部２９に当接し、それ以上回動しないように規制されている。
【００４６】
このように構成された内型枠装置１２は、コンクリート壁成形時、内外両型枠板間にコンクリート打設する時には、図５に示すように、内型枠板１３の下縁部を型枠支持部材３４（アジャストベース）を介して先に成形されたコンクリート壁１０の既存部分に支持され、クレーン等により吊らずとも安定した状態に保持することができるようになっている。
【００４７】
型枠支持部材３４は、Ｌ字型のアングル材をもって形成され、コンクリート打設時に内外両型枠板１３，１５間に配置され、打設後はコンクリート壁１０内に残存させたセパレータ３５の端部に螺合された取付部材３６にボルト３７により取り付けられるようになっている。尚、型枠支持部材３４の形態は、上述のＬ字型のアングル材に限定されず、コンクリート壁に着脱可能に固定でき、型枠板１３の下端を支持することができる形態のものであればよい。
【００４８】
また、取付部材３６は、内面にネジ部３８ａが形成された筒状部３８の周りにテーパ筒状の合成樹脂部材３９が一体化された構造となっており、施工後はコンクリート壁１０より取り外せるようになっている。
【００４９】
一方、この内型枠装置１２は、上部ストッパー１７又は下部ストッパー２５を内型枠板１３の表面より表側に突出する位置に移動させ、コンクリート壁１０上端部に支持させることにより、型枠支持部材３４を取り外した状態でもコンクリート壁１０に安定した状態で支持されるようになっている。
【００５０】
次に、上述の内型枠装置１２を使用したコンクリート構造物の構築方法について説明する。
【００５１】
図６は内外両型枠板１３，１５間にコンクリート打設した状態を示し、この状態を初期状態として、まず、コンクリート打設後の養生期間中に次のロット、即ち次に形成するコンクリート壁１０の部分の鉄筋４０の組立て作業を行う。
【００５２】
そして、養生期間が終了し、コンクリートが所定の強度を発揮した後、上部ストッパー１７を内型枠板１３の表面より表側に突出させてコンクリート壁１０の既存部分上端に支持させ、内型枠装置１２をコンクリート壁１０に安定した状態で支持させる。
【００５３】
この状態で、内型枠装置１２内の下段作業足場２２に作業員が乗って、内型枠板１３の下端部を支持する型枠支持部材３４の取り外しを行うとともに、下部ストッパー２５のストッパー本体２７に錘３２を装着する。
【００５４】
また、内型枠装置１２の上昇させる前に準備作業として、セパレータ３５と両型枠装置１１，１２との固定の解除等を行い内型枠装置１２を上昇可能な状態とし、また、コンクリート壁１０と内型枠板１３とをバール等を使用してある程度剥離させておく。
【００５５】
次に、型枠板支持構造体１４の上端部に吊りワイヤ４１の先端を固定し、クレーンにより上方に吊り上げて内型枠装置１２を上昇させる。このとき、下部ストッパー２５は、ストッパー本体２７の係止凸部とは反対の側に錘３２を装着したことにより、錘３２の重量により係止凸部とは反対側が係止凸部側よりも重くなり、ストッパー本体２７の先端部に一体に備えた係止用凸部を内型枠板１３の表面より表側に突出する方向に付勢し、コンクリート壁１０の内側面側に押し当てた状態にしておく。
【００５６】
そして、内型枠装置１２を上昇させ、型枠板支持構造体１４の下端部、即ち、下部ストッパー２５の位置がコンクリート壁１０の既存部上端より高い位置まで移動すると、ストッパー本体２７の係止用凸部が錘３２の重量により自動的に回動して内型枠板１３の表面より表側に突出する。
【００５７】
その状態でクレーンにより内型枠装置１２を下降させ、図７に示すように、下部ストッパー２５をコンクリート壁１０の既存部上端に支持させ、その状態で内型枠装置１２の下段作業用足場２２に乗って、コンクリート壁１０既存部の上端内側面に型枠支持部材３４を取り付ける。
【００５８】
次に、型枠支持部材３４の取り付けが完了したら、ストッパー本体２７より錘３２を取り外してストッパー本体２７の係止凸部側を重い状態とし、クレーンにより内型枠装置１２を上方に少し引き上げることによって、ストッパー本体２７の係止凸部を内型枠板１３の表面より裏側に引き込ませる。
【００５９】
そして、クレーンを操作して内型枠装置１２を下降させ、内型枠板１３の下縁を型枠支持部材３４に支持させることにより、内型枠装置１２をコンクリート壁１０に支持させる。
【００６０】
この状態で、外型枠装置１１も吊り上げて外型枠板１５と内型枠板１３とが互いに対向する位置まで引き上げて設置し、その状態で内外両型枠板１３，１５間の上端部にセパレータ３５を配置し、両型枠板１３，１５に支持させ、その他、両型枠板１３，１５間の上端部間に架け渡した補強用アングル材４２等の必要な部材を取り付ける。
【００６１】
この状態で、内外両型枠板１３，１５間にコンクリートを打設することにより、図６に示す初期状態となる。
【００６２】
この一連の動作をコンクリート壁１０の高さが所定高さに到達するまで繰り返し行う。
【００６３】
尚、上述の実施例では、下部ストッパーを支持柱材に取り付けられる取付部と、取付部に軸支されたストッパー本体とを備えた例について説明したが、例えば、下部ストッパーを内型枠板と直交する方向にスライド可能に支持させたもの等、内型枠板の表面より表側に突出した位置と該表面より裏側に引き込んだ位置との間を移動可能なものであればよい。
【００６４】
また、上述の実施例では、ストッパー本体を一定長さを有するアングル材とし、該アングル材の先端部を係止凸部とした例について説明したが、ストッパー本体の形態は、このような形態に限定されず、係止凸部を一体に備え、その係止凸部が内型枠板の表面より表側に突出する位置と表面より裏側に引き込まれる位置との間を往復移動できるような形態であればよい。
【００６５】
更に、上述の実施例では、下部ストッパーの回動手段に錘を使用し、錘の重量によりストッパー本体の重心を偏らせて自動的に回動させる例について説明したが、回動手段としては、モータを使用して回動させるもの等であってもよい。
【図面の簡単な説明】
【００６６】
【図１】本発明に係る内型枠装置の一例を示す断面図である。
【図２】（ａ）は図１中の上部ストッパーの係止状態を示す断面図、（ｂ）は同平面図である。
【図３】図１中の下部ストッパーの取付状態を示す側面図である。
【図４】同上の下部ストッパーを示す平面図である。
【図５】図１中の型枠支持部材の取り付け状態を示す断面図である。
【図６】本発明方法における型枠支持部材を取り付ける際の状態を示す断面図である。
【図７】同上の型枠支持部材を取り外す際の状態を示す断面図である。
【図８】従来のコンクリート構造物の構築方法の状態を示す斜視図。
【符号の説明】
【００６７】
１０  コンクリート壁
１１  外型枠装置
１２  内型枠装置
１３  内型枠板
１４  型枠板支持構造体
１５  外型枠板
１６  支持柱材
１６ａ  隙間
１７  上部ストッパー
１８  ボルト
１９  横部材
２０，２１，２２  作業足場
２３  昇降用梯子
２４  挿通孔
２５  下部ストッパー
２６  取付部
２７  ストッパー本体
２７ａ  係止凸部
２８  軸挿通孔
２９  回動規制部
３０  回転軸
３１  軸挿通孔
３２  錘
３２ａ  軸部
３２ｂ  抜け止め部
３３  取付用孔
３４  型枠支持部材（アジャストベース）
３５  セパレータ
３６  取付部材
３７  ボルト
３８  筒状部
３９  合成樹脂材
４０  鉄筋
４１  吊りワイヤ
４２  補強用アングル材
【図１】
2005171755.tif 000003
【図２】
2005171755.tif 000004
【図３】
2005171755.tif 000005
【図４】
2005171755.tif 000006
【図５】
2005171755.tif 000007
【図６】
2005171755.tif 000008
【図７】
2005171755.tif 000009
【図８】
2005171755.tif 000010